(57)【要約】【課題】  マカロンという高価で人気のあるお菓子の形を壊すことなく購買者へ提供できるようにすることを目的とする。【解決手段】  長方形の天面パネルに楕円形穴を斜状で対向させて複数個配置し、各楕円形穴には中心に直線状切り込みを刻設し、楕円形穴両端部には半円状切り込みを刻設し、半円状切り込み間にミシン目を連設して、１楕円形穴に２個の垂下パネルを設け、天面パネルの四周辺には折り曲げ線を介して折り曲げ片を設け、折り曲げ線近傍の半円状切り込みは折り曲げ線に接するように形成したマカロン用贈答箱の中仕切りとした。【選択図】  図２
2008068879.tif 000002
【特許請求の範囲】
【請求項１】
長方形の天面パネルに楕円形穴を斜状で対向させて複数個配置し、各楕円形穴には中心に直線状切り込みを刻設し、楕円形穴両端部には半円状切り込みを刻設し、半円状切り込み間にミシン目を連設して、１楕円形穴に２個の垂下パネルを設け、天面パネルの四周辺には折り曲げ線を介して折り曲げ片を設け、折り曲げ線近傍の半円状切り込みは折り曲げ線に接するように形成したマカロン用贈答箱の中仕切り。
【請求項２】
折り曲げ片外周中央にロック用の円弧状切り込みを刻設した請求項１記載のマカロン用贈答箱の中仕切り。
【発明の詳細な説明】
【技術分野】
【０００１】
本発明は、マカロン用贈答箱の中仕切りに関し、マカロンが壊れないように包むための緩衝パネルを備えた中仕切りについてである。
【背景技術】
【０００２】
洋菓子マカロン（ＭＡＣＡＲＯＮＳ）は目下時代の先端を行く、お洒落なお菓子であり、高価であるにもかかわらず良く売れている。
【０００３】
ところが、製造する側と販売する側にとっての共通の悩みは、マカロンは極めて壊れやすいという事にある。
【０００４】
その対策として、いろいろなクッション材の組合せで工夫をしたり、プラスチックの成型トレーで試みたりしているが、壊れるのを完全に防止することはできない。
【特許文献１】特開平８−３１８９３２号公報
【発明の開示】
【発明が解決しようとする課題】
【０００５】
大変人気があり、高価であるお菓子マカロンを、形を壊すことなく購買者へ提供できるようにするため、特別な包装材料を提供することが求められている。
【課題を解決するための手段】
【０００６】
そこで、本発明は、上記の事情に鑑み、マカロンという高価で人気のあるお菓子の形を壊すことなく購買者へ提供できるようにすべく、長方形の天面パネルに楕円形穴を斜状で対向させて複数個配置し、各楕円形穴には中心に直線状切り込みを刻設し、楕円形穴両端部には半円状切り込みを刻設し、半円状切り込み間にミシン目を連設して、１楕円形穴に２個の垂下パネルを設け、天面パネルの四周辺には折り曲げ線を介して折り曲げ片を設け、折り曲げ線近傍の半円状切り込みは折り曲げ線に接するように形成したマカロン用贈答箱の中仕切りとした。
【０００７】
また、本発明は、中仕切りを連結できるように、折り曲げ片外周中央にロック用の円弧状切り込みを刻設したマカロン用贈答箱の中仕切りとした。
【発明の効果】
【０００８】
本発明は、長方形の天面パネルに楕円形穴を斜状で対向させて複数個配置し、各楕円形穴には中心に直線状切り込みを刻設し、楕円形穴両端部には半円状切り込みを刻設し、半円状切り込み間にミシン目を連設して、１楕円形穴に２個の垂下パネルを設け、天面パネルの四周辺には折り曲げ線を介して折り曲げ片を設け、折り曲げ線近傍の半円状切り込みは折り曲げ線に接するように形成したマカロン用贈答箱の中仕切りであるので、マカロンという高価なお菓子の形を壊すことなく、購買者へ提供することができる。
【０００９】
また、本発明は、折り曲げ片外周中央にロック用の円弧状切り込みを刻設したマカロン用贈答箱の中仕切りであるので、中仕切りの連結が可能である。
【発明を実施するための最良の形態】
【００１０】
本発明を添付する図面に基づいて、以下詳細に説明する。
【００１１】
本発明は、長方形の天面パネルに楕円形穴を斜状で対向させて複数個配置し、各楕円形穴には中心に直線状切り込みを刻設し、楕円形穴両端部には半円状切り込みを刻設し、半円状切り込み間にミシン目を連設し、天面パネルの四周辺には折り曲げ線を介して折り曲げ片を設け、折り曲げ線近傍の半円状切り込みは折り曲げ線に接するように形成したマカロン用贈答箱の中仕切りである。
【００１２】
また、本発明は、折り曲げ片外周中央にロック用の円弧状切り込みを刻設したものである。
【００１３】
本発明のブランク図を図１に示す。
【００１４】
長方形状の板紙により作製する。
【００１５】
長方形の天面パネル１に、楕円形穴２を斜状で対向させて複数個配置し、各楕円形穴２には中心に直線状切り込み３を刻設し、楕円形穴両端部には半円状切り込み４を刻設し、半円状切り込み４間にミシン目５を連設して、１個の楕円形穴２に２個の垂下パネル１４を設け、天面パネル１の四周辺には折り曲げ線６・７・８・９を介して折り曲げ片１０・１１・１２・１３を設け、折り曲げ線６・７・８・９近傍の半円状切り込み４は折り曲げ線６・７・８・９に接するように形成する。折り曲げ片１０・１１・１２・１３の外側中央にはロック用の切り込み１５をそれぞれ刻設する。
【００１６】
この中の仕切りの組立て要領を図２に示す。
【００１７】
各楕円形穴２において垂下パネル１４・１４をミシン目５で下方へ折り曲げる。続いて各折り曲げ片１０・１１・１２・１３を折り曲げ線６・７・８・９で下方に折り曲げる。図示の状態の中仕切りを身箱に収容する。
【００１８】
図３に示すように、薄いフィルムの袋２１に入ったマカロンＭを各楕円形穴２に挿入し、垂下パネル１４・１４で挟持して支持させる。マカロンＭは一個ずつ独立して支持され、中空に浮かんだ状態を保つことができる。マカロンＭを挿入する楕円形穴２は、マカロンＭが一個ずつ浮かんだ状態にするため四方にマチが存在するようにした。
【００１９】
隣のマカロンＭからの衝撃をなくすために、長手方向のマチから緩衝材としての役割を果たす垂下パネル１４を２枚垂らし、マカロンＭの円盤部分を保護するようにした。この際、仕切りの天面パネル１に形成される楕円形穴２とマカロンＭを包む薄いフィルム袋２１間に若干の余裕があり、垂直に垂れた２枚の天面パネル１４ともどもマカロンＭの揺れを防ぎ、贈答箱の外からの衝撃を吸収する働きを有する。
【００２０】
天面パネル１のマチの強度を増やすために、図４に示すように、マカロンＭを挿入する穴を形を楕円形にした。それによってマチとマチの間の表面積が増え、その分強度が増す。
【００２１】
図５に示すように、マカロンＭを挿入する穴２１を四角形にすると、コーナー２２が破れ易い。
【００２２】
本発明では、２列×３個の６個詰めを中仕切りの基本とするが、中仕切りを複数用いて１２個詰め、２４個詰めにも対応できるようにしてある。図６に示してあるように、隣の仕切りどうしを切り込み１５を係合させて固定する構造にした。
【００２３】
従来のマカロンの包装が、マカロン同士を独立させるような構造にはなっておらず、従来の中仕切りが四角の穴で、マチの部分の折れやすいのに対応させた。
【００２４】
楕円形の穴を斜めに配置したのは、従来品との差を際立たせようとしたものであるが、実用面でも斜めに配置して、マチ部分がより広くなったという効果がある。
【実施例１】
【００２５】
１７８ｍｍ×１９９ｍｍの板紙で作製した。
【産業上の利用可能性】
【００２６】
本発明は、マカロン用贈答箱の中仕切りについて説明したが、一般の菓子用贈答箱の中仕切りに利用できる。
【図面の簡単な説明】
【００２７】
【図１】本発明の具体的一実施例のブランク図である。
【図２】本発明の中仕切りの組立て要領を示す斜視図である。
【図３】本発明の中仕切りのマカロンを支持した状態を示す模式図である。
【図４】本発明のマカロン支持穴の楕円形穴の特徴を示す模式図である。
【図５】マカロン支持穴が四角形であると破れ易い状態を示す模式図である。
【図６】本発明の中仕切りの連結を説明する模式図である。
【符号の説明】
【００２８】
１…天面パネル
２…楕円形穴
３…直線状切り込み
４…半円形状切り込み
５…ミシン目
１４…垂下パネル                                                      ６・７・８・９…折り曲げ線
１０・１１・１２・１３…折り曲げ片
１５…円弧状切り込み
【図１】
2008068879.tif 000003
【図２】
2008068879.tif 000004
【図３】
2008068879.tif 000005
【図４】
2008068879.tif 000006
【図５】
2008068879.tif 000007
【図６】
2008068879.tif 000008